【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
太陽からの光を導入するための採光手段と、前記採光手段からの光をその内面で反射させながら所定方向へ導くための筒状の導光手段と、前記導光手段により導かれた光を屋内に照射するための照射手段と、を備え、
前記導光手段の出射側端部には固定用リングが取り付けられ、前記固定用リングにはネジ受け部が設けられ、前記ネジ受け部にはネジ部材が移動自在且つ回転自在に挿通され、前記ネジ受け部の上端部には切り欠き部が設けられ、前記ネジ部材には、前記ネジ部材の径方向外方に延びる固定用ナット部材が螺着されており、
前記固定用ナット部材の所定部位が前記切り欠き部に収容されると、前記固定用ナット部材の前記固定用リングに対する回転が拘束され、この回転拘束状態で前記ネジ部材を前記固定用ナット部材に対して所定方向に回転させることにより、前記固定用リングと前記固定用ナット部材との間に屋内の天井パネルが挟持されることを特徴とする採光装置。
【請求項２】
前記固定用ナット部材は、前記導光手段の外周面に沿う状態と、前記所定部位が前記切欠き部に収容された前記回転拘束状態との間を移動可能とされ、前記回転拘束状態においては、前記固定用ナット部材の先端部は前記固定用リングの径方向外方に向けて延び、
前記固定用ナット部材が前記導光手段の外周面に沿った状態において、前記導光手段が前記天井パネルに穿設された天井貫通孔に挿入されることを特徴とする請求項１に記載の採光装置。
【請求項３】
前記固定用リングは、リング部と、前記リング部の内周部から上方に延びる取付部と、を有し、前記取付部は前記導光手段の出射側端部の外周部に取り付けられ、前記ネジ受け部は前記取付部の外周面に設けられていることを特徴とする請求項１又は２に記載の採光装置。
【請求項４】
前記ネジ受け部の上端部において前記切り欠き部の片側の部位には、前記固定用ナット部材の前記所定部位を逃がすための逃げ用切り欠き部が設けられていることを特徴とする請求項１〜３の何れかに記載の採光装置。
【請求項５】
前記導光手段の出射側端部における開口部を覆うためのカバー部材を更に備え、前記固定用リングは前記導光手段の出射側端部の外周部に取り付けられ、
前記カバー部材の外周部は、前記固定用リングと前記導光手段の出射側端部との間に配設され、前記カバー部材の外周部と前記固定用リング又は前記導光手段の出射側端部との間にはシール部材が介在されていることを特徴とする請求項１〜４の何れかに記載の採光装置。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明の請求項１に記載の採光装置では、太陽からの光を導入するための採光手段と、前記採光手段からの光をその内面で反射させながら所定方向へ導くための筒状の導光手段と、前記導光手段により導かれた光を屋内に照射するための照射手段と、を備え、
前記導光手段の出射側端部には固定用リングが取り付けられ、前記固定用リングにはネジ受け部が設けられ、前記ネジ受け部にはネジ部材が移動自在且つ回転自在に挿通され、前記ネジ受け部の上端部には切り欠き部が設けられ、前記ネジ部材には、その径方向外方に延びる固定用ナット部材が螺着されており、
前記固定用ナット部材の所定部位が前記切り欠き部に収容されると、前記固定用ナット部材の前記固定用リングに対する回転が拘束され、この回転拘束状態で前記ネジ部材を前記固定用ナット部材に対して所定方向に回転させることにより、前記固定用リングと前記固定用ナット部材との間に屋内の天井パネルが挟持されることを特徴とする。
【手続補正１０】
【補正対象書類名】明細書
【補正対象項目名】００１６
【補正方法】変更
【補正の内容】
【００１６】
また、本発明の請求項２に記載の採光装置では、前記固定用ナット部材は、前記導光手段の外周面に沿う状態と、前記所定部位が前記切欠き部に収容された前記回転拘束状態との間を移動可能とされ、前記回転拘束状態においては、前記固定用ナット部材の先端部は前記固定用リングの径方向外方に向けて延び、前記固定用ナット部材が前記導光手段の外周面に沿った状態において、前記導光手段が前記天井パネルに穿設された天井貫通孔に挿入されることを特徴とする。
また、本発明の請求項３に記載の採光装置では、前記固定用リングは、リング部と、前記リング部の内周部から上方に延びる取付部と、を有し、前記取付部は前記導光手段の出射側端部の外周部に取り付けられ、前記ネジ受け部は前記取付部の外周面に設けられていることを特徴とする。
本発明の請求項４に記載の採光装置では、前記ネジ受け部の上端部において前記切り欠き部の片側の部位には、前記固定用ナット部材の前記所定部位を逃がすための逃げ用切り欠き部が設けられていることを特徴とする。
【手続補正１１】
【補正対象書類名】明細書
【補正対象項目名】００１７
【補正方法】変更
【補正の内容】
【００１７】
また、本発明の請求項５に記載の採光装置では、前記固定用リングは前記導光手段の出射側端部の外周部に取り付けられ、また、前記導光手段に関連して、前記導光手段の出射側端部における開口部を覆うためのカバー部材が設けられ、前記カバー部材の外周部は、前記固定用リングと前記導光手段の出射側端部との間に配設され、前記カバー部材の外周部と前記固定用リング又は前記導光手段の出射側端部との間にはシール部材が介在されていることを特徴とする。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】変更
【補正の内容】
【００２５】
本発明の採光装置によれば、固定用リングのネジ受け部の上端部には切り欠き部が設けられ、ネジ受け部に移動自在且つ回転自在に挿通されたネジ部材には、その径方向外方に延びる固定用ナット部材が螺着されている。採光装置の設置作業時において、導光手段を天井パネルに設けられた天井貫通孔に下方より挿入する際に、ネジ部材を回転させて固定用ナット部材を導光手段の外側面に沿わせるようにすることにより、固定用ナット部材の先端部が天井パネルの下面にぶつかることがなく、導光手段をスムーズに挿入することができる。また、固定用ナット部材の所定部位がネジ受け部の切り欠き部に収容されると、固定用ナット部材の固定用リングに対する回転が拘束され、この回転拘束状態でネジ部材を固定用ナット部材に対して所定方向（締付方向）に回転させることにより、固定用ナット部材が切り欠き部に沿ってネジ受け部に対して移動され、固定用リングと固定用ナット部材との間に天井パネルが挟持される。これにより、導光手段の出射側端部を天井パネルの天井貫通孔により容易に接続することができる。
【手続補正２０】
【補正対象書類名】明細書
【補正対象項目名】００２６
【補正方法】変更
【補正の内容】
【００２６】
また、ネジ受け部の上端部において切り欠き部の片側の部位には、固定用ナット部材の所定部位を逃がすための逃げ用切り欠き部が設けられている。上述のように固定用ナット部材を導光手段の外側面に沿わせると、固定用ナット部材の上記所定部位は、ネジ受け部の逃げ用切り欠き部に逃がされる。この状態からネジ部材を上記所定方向（締付方向）に回転させると、固定用ナット部材がネジ部材と一体に上記所定方向に回転され、固定用ナット部材の上記所定部位が切り欠き部の一側部に接触される。このように接触されることにより、固定用ナット部材の固定用リングに対する上記所定方向への回転が阻止される。このように回転が阻止された状態でネジ部材を上記所定方向に更に回転させると、固定用ナット部材が切り欠き部に沿ってネジ受け部に対して移動する。従って、固定用ナット部材を導光手段の外側面に沿わせた状態からネジ部材を上記所定方向に回転させることにより、固定用ナット部材を回転許容状態から回転拘束状態へとスムーズに保持させることができる。
【手続補正２１】
【補正対象書類名】明細書
【補正対象項目名】００２７
【補正方法】変更
【補正の内容】
【００２７】
また、導光手段の出射側端部における開口部を覆うためのカバー部材が設けられ、カバー部材の外周部と固定用リング又は導光手段の出射側端部との間にはシール部材が介在されている。これにより、導光手段の内部が屋内と密封されるようになるので、屋内の水蒸気を含んだ暖かい空気が導光手段の内部に侵入するのを防止することができる。これにより、例えば冬季において導光手段の表面温度が露点温度よりも低下した場合であっても、導光手段の内部において結露が発生するのを防止することができる。また、虫や塵埃などが、導光手段の出射側端部における開口部を通して屋内に侵入するのを防止することができる。
【手続補正２２】
【補正対象書類名】明細書
【補正対象項目名】００５２
【補正方法】変更
【補正の内容】
【００５２】
また、筒状部材２６Ｃをその一端部側から導光用開口部１０６に下方より挿入する。このとき、回転許容状態にてネジ部材１３２を図１１（ａ）の矢印Ｐで示す方向に回転させ、固定用ナット部材１３６を筒状部材２６Ｃの外側面に沿わせるようにする。これにより、筒状部材２６Ｃを導光用開口部１０６に挿入する際に、固定用ナット部材１３６の先端部が固定用プレート９６の下面にぶつかることがなく、筒状部材２６Ｃをスムーズに挿入することができる。その後、ネジ部材１３２を図１１（ａ）の矢印Ｑで示す方向に回転させた後にネジ受け部１２６に対して下方に移動させ、固定用ナット部材１３６の基端部をネジ受け部１２６の切り欠き部１３０に収容させる。この回転拘束状態でネジ部材１３２を締付方向（図１１（ｂ）の矢印Ｒで示す方向）に回転させると、ネジ部材１３２が固定用ナット部材１３６のネジ孔１３８に螺着されながらネジ受け部１２６に対して上方に移動し、これに伴って固定用ナット部材１３６が切り欠き部１３０に沿ってネジ受け部１２６に対して下方に移動する。これにより、固定用ナット部材１３６の先端部が固定用リング１１６の導光用接続部１１０の上端部を下方に押圧し、固定用リング１１６のリング部１１８と固定用ナット部材１３６の先端部との間に固定用プレート９６が挟持され（図８参照）、導光手段１０Ｃの出射側端部３６Ｃが固定用プレート９６の導光用接続部１１０に接続される。その後、固定用リング１１６のリング部１１８に拡散カバー部材４２Ｃを装着する。
【手続補正２３】
【補正対象書類名】明細書
【補正対象項目名】００５５
【補正方法】変更
【補正の内容】
【００５５】
本実施形態の採光装置２Ｄでは、導光手段１０Ｃの出射側端部３６Ｃに固定用リング１１６が取り付けられ、この固定用リング１１６は、上記第４の実施形態と同様に構成されている。この固定用リング１１６によって、導光手段１０Ｃの出射側端部３６Ｃを次のようにして天井パネル９２に固定することができる。まず、ホールソー等を用いて天井パネル９２の所定部位に円形状の天井貫通孔１０４Ｄを穿設し、筒状部材２６Ｃをその一端部側から天井貫通孔１０４Ｄに下方より挿入する。このとき、回転許容状態にてネジ部材１３２を所定方向に回転させ、固定用ナット部材１３６を筒状部材２６Ｃの外側面に沿わせるようにする。これにより、筒状部材２６Ｃを天井貫通孔１０４Ｄに挿入する際に、固定用ナット部材１３６の先端部が天井パネル９２の下面にぶつかることがなく、筒状部材２６Ｃをスムーズに挿入することができる。
【手続補正２４】
【補正対象書類名】明細書
【補正対象項目名】００５６
【補正方法】変更
【補正の内容】
【００５６】
そして、ネジ部材１３２を上記所定方向と反対方向に回転させた後にネジ受け部１２６に対して下方に移動させ、固定用ナット部材１３６の基端部をネジ受け部１２６の切り欠き部１３０に収容させる。この回転拘束状態でネジ部材１３２を締付方向に回転させると、ネジ部材１３２が固定用ナット部材１３６のネジ孔１３８に螺着されながらネジ受け部１２６に対して上方に移動し、これに伴って固定用ナット部材１３６が切り欠き部１３０に沿ってネジ受け部１２６に対して下方に移動する。これにより、固定用ナット部材１３６の先端部が天井パネル９２の上面を下方に押圧し、固定用リング１１６のリング部１１８と固定用ナット部材１３６の先端部との間に天井パネル９２が挟持され（図１２参照）、導光手段１０Ｃの出射側端部３６Ｃが天井パネル９２に固定される。その後、固定用リング１１６のリング部１１８に拡散カバー部材４２Ｃを装着する。
［第６の実施形態］
次に、図１４及び図１５を参照して、第６の実施形態の採光装置について説明する。図１４は、本発明の第６の実施形態による採光装置の一部を示す断面図であり、図１５（ａ）は、固定用ナット部材の固定用リングに対する回転が許容された状態を示す斜視図であり、図１５（ｂ）は、固定用ナット部材の固定用リングに対する回転が拘束された状態を示す斜視図である。
【手続補正２５】
【補正対象書類名】明細書
【補正対象項目名】００６１
【補正方法】変更
【補正の内容】
【００６１】
ネジ部材１３２をネジ受け部１２６Ｅに対して上方に移動させると、固定用ナット部材１３６Ｅの基端部は、ネジ受け部１２６Ｅの切り欠き部１３０Ｅの外部に配設される（図１５（ａ）参照）。これにより、固定用ナット部材１３６Ｅの固定用リング１１６Ｅに対する回転が許容される回転許容状態となる。固定用ナット部材１３６Ｅを筒状部材２６Ｃの外側面に沿わせると、固定用ナット部材１３６Ｅの基端部は、ネジ受け部１２６Ｅの逃げ用切り欠き部１４６に逃がされる。この状態からネジ部材１３２を締付方向に回転させると、固定用ナット部材１３６Ｅがネジ部材１３２と一体に上記締付方向に回転され、図１５（ａ）において二点鎖線で示すように、固定用ナット部材１３６Ｅの基端部が切り欠き部１３０Ｅの一側部に接触される。このように接触されると、固定用ナット部材１３６Ｅの固定用リング１１６Ｅに対する上記締付方向への回転が阻止される。この状態でネジ部材１３２を上記締付方向に更に回転させると、ネジ部材１３２が固定用ナット部材１３６Ｅのネジ孔１３８に螺着されながらネジ受け部１２６Ｅに対して上方に移動し、これに伴って固定用ナット部材１３６Ｅが切り欠き部１３０Ｅに沿ってネジ受け部１２６Ｅに対して下方に移動する。これにより、固定用ナット部材１３６Ｅの固定用リング１１６Ｅに対する回転が拘束される回転拘束状態となる（図１５（ｂ）参照）。